(57)【要約】【課題】基板ケース等のケースを閉止した状態で封印シールにより封印する構成において、封印シールを破損しなければケースを開放できないようにしたケース封印構造を提供する。【解決手段】ケース封印構造は、ケース本体部材にケース蓋部材を閉止して装着し、これにより近接対向した両封印部１１０，１２０を封印カバー１４０に挿入装着したときに、切断部材１５３が作動手段により両封印部１１０，１２０から封印カバー１４０を離脱させる方向から見て封印シール１３０と重なる位置へ揺動変位され、ケース本体部材からケース蓋部材を開放するために、両封印部１１０，１２０に対して封印カバー１４０を離脱させる方向へ相対移動させたときに、切断部材１５３が封印カバー１４０と一体的に当該離脱方向に相対移動されて、一方の封印部に貼着された封印シール１３０に当接して当該離脱方向に沿って封印シール１３０を切断するように構成される。【選択図】図６
2012019843.tif 000002
【特許請求の範囲】
【請求項１】
ケース本体部材及び前記ケース本体部材に開閉可能に装着されるケース蓋部材を備えたケースにおいて、
前記ケース本体部材に設けられた本体側封印部と、
前記ケース蓋部材に設けられ、前記ケース本体部材に前記ケース蓋部材を閉止して装着したときに前記本体側封印部に近接対向する蓋側封印部と、
前記本体側封印部及び前記蓋側封印部のいずれか一方の封印部に貼着される封印シールと、
一側面側に開口して他側面側に延びた封印空間を有して略箱状に形成され、近接対向状態の前記本体側封印部及び前記蓋側封印部を前記開口から前記封印空間内に挿脱可能な封印カバーと、
前記封印カバーの前記封印空間内に設けられ、前記封印シールを切断可能な切断部材と、
前記切断部材を前記封印空間内で揺動変位可能に支持する作動手段とを備え、
前記ケース本体部材に前記ケース蓋部材を閉止して装着し、これにより近接対向した前記本体側封印部及び前記蓋側封印部を前記封印カバーに挿入装着したときに、前記切断部材が前記作動手段により前記本体側封印部及び前記蓋側封印部から前記封印カバーを離脱させる方向から見て前記封印シールと重なる位置へ揺動変位され、
前記ケース本体部材から前記ケース蓋部材を開放するために、前記本体側封印部及び前記蓋側封印部に対して前記封印カバーを離脱させる方向へ相対移動させたときに、前記切断部材が前記封印カバーと一体的に当該離脱方向に相対移動されて、前記一方の封印部に貼着された前記封印シールに当接して当該離脱方向に沿って前記封印シールを切断するように構成されたことを特徴とするケース封印構造。
【請求項２】
前記本体側封印部及び前記蓋側封印部を前記封印カバーに挿入装着したときに、前記作動手段により前記封印カバーの離脱方向から見て前記封印シールと重なる位置へ揺動変位された前記切断部材を当該位置で固定保持するためのロック手段を設けて構成されたことを特徴とする請求項１に記載のケース封印構造。
【請求項３】
前記封印カバーに少なくとも３つ以上の前記切断部材を前記離脱方向に直交する方向に並べて配置し、
前記切断部材は、前記封印カバーに設けられた軸部を中心として、前記本体側封印部及び前記蓋側封印部を前記封印カバーに挿入装着するとき前記一方の封印部に貼着された封印シールに接触しない格納位置と、前記封印カバーの離脱方向から見て前記封印シールと重なる切断位置との間で揺動変位可能に支持されており、
前記作動手段により前記複数の切断部材が各々揺動するときに、互いに隣接する前記切断部材の揺動方向が逆方向となり、前記複数の切断部材が互い違いの方向に揺動することを特徴とする請求項１または２に記載のケース封印構造。
【請求項４】
前記封印シールが情報を記憶及び読み取り可能なＩＣタグ及び前記ＩＣタグに対する情報の記憶及び読み取りを無線により行うためのアンテナ線を有して構成され、前記本体側封印部及び前記蓋側封印部に対して前記封印カバーを離脱方向に相対移動させたときに前記封印シールが切断されることにより少なくとも前記アンテナ線が切断されて前記ＩＣタグに対する無線による情報の記憶及び読み取りができないようになっていることを特徴とする請求項１〜３のいずれかに記載のケース封印構造。
【発明の詳細な説明】
【技術分野】
【０００１】
本発明は、遊技機の制御基板を収容する基板ケース等のケースに対するケース封印構造、さらに詳しくはＩＣタグ封印シールを用いたケース封印構造に関する。
【背景技術】
【０００２】
パチンコ機やスロットマシン等の遊技機では、この遊技機の作動を制御する制御基板が設けられている。例えば、パチンコ機では、外枠に対して開閉可能に組み付けられた前枠裏側の収容枠に遊技盤等が装備され、この遊技盤に制御基板が取り付けられている。スロットマシンにおいても同様に、フロントマスクの裏面側やキャビネットの内側に制御基板が取り付けられている。これらの制御基板は、賞球もしくはメダルの払出制御、電動役物の開閉制御、リールの回転制御、図柄組み合わせの発生確率制御等、パチンコ機もしくはスロットマシンの作動を制御する基板であり、遊技機の制御ソフトウェアが記録されたＲＯＭが搭載され、この遊技機の作動を制御する中枢制御装置としての役割を有している（例えば、特許文献１を参照）。
【０００３】
このような中枢制御装置としての役割を有した制御基板は偽造ＲＯＭへの差し替え等の不正改造対策として、基板ケース内に収容され、この基板ケースを不正に開放できないようにする不正開放防止手段を設けることが知られている。この不正開放防止手段として、例えば、制御基板をケース本体部材及びケース蓋部材からなる基板ケースに収容し、ケース本体部材に対してケース蓋部材を閉止状態で装着したときに、ケース本体部材の側に形成した係合部とケース蓋部材の側に形成した係合部とを係合させ、ケース蓋部材（もしくはケース本体部材）とその係合部とを繋ぐ連結部をニッパ等の工具を用いて切り離さない限り、ケース本体部材とケース蓋部材とを離間不能にする、所謂カシメ構造が種々提案されて、実用に供されている。
【０００４】
また、遊技機の固有情報や、制御基板の識別情報等を記憶させた無線読み取り可能なＩＣタグを有したＩＣタグ封印シールを用いて基板ケースを内部において封印することも知られている（例えば、特許文献２を参照）。このようにＩＣタグ封印シールを用いると、制御基板を基板ケース内に入れてカシメ構造により閉止保持するだけでなく、ＩＣタグ封印シールにより封印してより確実な不正開放対策が可能となる。さらに、外部からＩＣタグに記憶された情報を読み取って制御基板の識別等を行えるという利点もある。
【先行技術文献】
【特許文献】
【０００５】
【特許文献１】特開２００９−１８３７８８号公報
【特許文献２】特開２００９−２６１６４０号公報
【発明の概要】
【発明が解決しようとする課題】
【０００６】
このように封印シール、特にＩＣタグ封印シールは、不正開放対策及び種々の情報の記憶・読み取り機能という便利な機能を有するのであるが、これが不正に剥がされて不正に再使用されると基板ケースそのものを不正に交換するような不正改造を却って発見しにくくなるという問題がある。このため、基板ケースを開放するときに封印シールを破損するような構成、すなわち、封印シールを破損しなければ基板ケースを開放することができないような構造が望まれる。
【０００７】
本発明は、このような課題に鑑みてなされたものであり、基板ケース等のケースを閉止した状態で封印シールにより封印する構成において、封印シールを破損しなければケースを開放できないようにしたケース封印構造を提供することを目的とする。
【課題を解決するための手段】
【０００８】
このような目的達成のために、本発明に係るケース封印構造は、ケース本体部材及びこのケース本体部材に開閉可能に装着されるケース蓋部材を備えたケースにおいて、ケース本体部材に設けられた本体側封印部と、ケース蓋部材に設けられ、ケース本体部材にケース蓋部材を閉止して装着したときに本体側封印部に近接対向する蓋側封印部と、本体側封印部及び蓋側封印部のいずれか一方の封印部に貼着される封印シールと、一側面側に開口して他側面側に延びた封印空間を有して略箱状に形成され、近接対向状態の本体側封印部及び蓋側封印部を上記開口から封印空間内に挿脱可能な封印カバーと、封印カバーの封印空間内に設けられ、封印シールを切断可能な切断部材と、切断部材を封印空間内で揺動変位可能に支持する作動手段（例えば、実施形態におけるカッティング機構１５０）とを備え、ケース本体部材にケース蓋部材を閉止して装着し、これにより近接対向した本体側封印部及び蓋側封印部を封印カバーに挿入装着したときに、切断部材が作動手段により本体側封印部及び蓋側封印部から封印カバーを離脱させる方向から見て封印シールと重なる位置へ揺動変位され、ケース本体部材からケース蓋部材を開放するために、本体側封印部及び蓋側封印部に対して封印カバーを離脱させる方向へ相対移動させたときに、切断部材が封印カバーと一体的に当該離脱方向に相対移動されて、一方の封印部に貼着された封印シールに当接して当該離脱方向に沿って封印シールを切断するように構成される。
【０００９】
なお、上述の発明において、本体側封印部及び蓋側封印部を封印カバーに挿入装着したときに、作動手段により封印カバーの離脱方向から見て封印シールと重なる位置へ揺動変位された切断部材を当該位置で固定保持するためのロック手段（例えば、実施形態におけるロック部１６０）を設けて構成されることが好ましい。
【００１０】
また、上述の発明において、封印カバーに少なくとも３つ以上の切断部材（例えば、実施形態における切断部材２５３）を離脱方向に直交する方向に並べて配置し、切断部材は、封印カバーに設けられた軸部を中心として、本体側封印部及び蓋側封印部を封印カバーに挿入装着するとき一方の封印部に貼着された封印シールに接触しない格納位置と、封印カバーの離脱方向から見て封印シールと重なる切断位置との間で揺動変位可能に支持されており、作動手段により複数の切断部材が各々揺動するときに、互いに隣接する切断部材の揺動方向が逆方向となり、複数の切断部材が互い違いの方向に揺動することが好ましい。
【００１１】
また、上述の発明において、封印シール（例えば、実施形態におけるＩＣタグ封印シール１３０）が情報を記憶及び読み取り可能なＩＣタグ及びこのＩＣタグに対する情報の記憶及び読み取りを無線により行うためのアンテナ線を有して構成され、本体側封印部及び蓋側封印部に対して封印カバーを離脱方向に相対移動させたときに封印シールが切断されることにより少なくともアンテナ線が切断されてＩＣタグに対する無線による情報の記憶及び読み取りができないようになっていることが好ましい。
【発明の効果】
【００１２】
本発明に係るケース封印構造によれば、封印カバーの封印空間に本体側封印部及び蓋側封印部を挿入装着したときには、これに連動して切断部材が封印カバーの離脱向から見て封印シールと重なる位置に揺動変位し、封印カバーを本体側封印部及び蓋側封印部から取り外すときに、この封印カバーと一体的に離脱方向へ相対移動する切断部材により封印シールが当該離脱方向に沿って切断される。これにより、封印シールを破損することなくケースを開放することができないケース封印構造となるので、封印シールが不正に再使用されることを防止できる。
【００１３】
また、上述の発明において、作動手段により封印カバーの離脱方向から見て封印シールと重なる位置へ揺動変位された切断部材を当該位置で固定保持するためのロック手段を設けて構成することが好ましい。これにより、切断部材はロック手段によってロック保持されているため、封印シールを切断しているときに切断部材が受ける切断抵抗によって、切断部材が横振れ等の挙動を起こして適切にシール部材を切断できなくなるおそれがない。
【００１４】
また、上述の発明において、作動手段により複数の切断部材が各々揺動するときに、互いに隣接する切断部材の揺動方向が逆方向となり、複数の切断部材が格納位置と切断位置との間を互い違いの方向に揺動する構成とすることが好ましい。これにより、封印カバーの内部に、切断部材の列方向片側もしくは両側から不正部材をそれぞれ侵入させて、封印カバーの離脱方向から見て封印シールと重なる切断位置へ揺動変位された切断部材を封印シールから離間する方向（すなわち、格納位置側）へ揺動させて封印シールを切断することなく本体側封印部及び蓋側封印部から封印カバーを取り外そうとしても、複数の切断部材の揺動方向が互い違いに逆方向に設定されているため、全ての切断部材の各々を同時に格納位置側へ退避させることはできない。従って、このような不正アクセスを効果的に防止して、封印シールが不正に剥がされて再使用されるのをより確実に防止することが可能になる。
【００１５】
また、上述の発明において、封印シールが情報を記憶及び読み取り可能なＩＣタグ及びアンテナ線を有して構成され、本体側封印部及び蓋側封印部に対して封印カバーを離脱方向に相対移動させたときに少なくともＩＣタグのアンテナ線が切断されてＩＣタグに対する無線による情報の記憶及び読み取りができないように構成するのが好ましく、これにより封印シールの再使用を確実に防止できる。
【図面の簡単な説明】
【００１６】
【図１】本発明に係るケース封印構造を備えたパチンコ機の正面図である。
【図２】上記パチンコ機の背面図である。
【図３】上記パチンコ機に用いられる主基板アッセンブリであって、本発明に係るケース封印構造を適用した主基板アッセンブリを示す斜視図である。
【図４】上記主基板ケースを開放状態で示す斜視図である。
【図５】上記主基板アッセンブリを分解して示す斜視図である。
【図６】上記主基板アッセンブリを構成するケース封印部を取り出して示す斜視図である。
【図７】上記ケース封印部の本体側封印部を示す斜視図である。
【図８】上記ケース封印部の蓋側封印部を示す斜視図である。
【図９】ＩＣタグ封印シールの正面図である。
【図１０】上記ケース封印部の封印カバーを図６の矢印Ｘ−Ｘに沿って示す断面図である。
【図１１】封印カバーに備えられるロック部を示す要部断面図である。
【図１２】両封印部に封印カバーを取り付けたときの切断部材の動きを説明するための模式図である。
【図１３】両封印部から封印カバーを取り外すときの切断部材の動きを説明するための模式図である。
【図１４】封印カバーの変形例として複数の切断部材を備えた封印カバーを示す要部断面図である。
【図１５】他の形態のＩＣタグ封印シールの正面図である。
【発明を実施するための形態】
【００１７】
以下、本発明の好ましい実施形態について図面を参照して説明する。本発明に係るケース封印構造を用いる遊技機の代表例としてパチンコ機ＰＭの正面図及び背面図を図１及び図２に示しており、先ず、これらの図面を参照しながらパチンコ機ＰＭの全体構成について概要説明する。
【００１８】
パチンコ機ＰＭは、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉及び着脱が可能に取り付けられ、正面右側縁部に設けられたダブル錠と称される施錠装置４を利用して常には外枠１と係合連結された閉止状態に保持される。
【００１９】
前枠２の前面側上部には、前枠２の上部前面域に合わせた方形状のガラス扉５及び球皿ユニット６が正面左側部に設けられたヒンジ機構７ａ，７ｂ，７ｃを利用して横開き開閉及び着脱可能に組み付けられ、施錠装置４を利用して常には前枠２の前面を覆う閉止状態に保持される。球皿ユニット６の正面右側下部には遊技球の発射装置を行う操作ハンドル８が設けられている。ガラス扉５の背後に位置する前枠上部には、遊技盤１０を着脱可能に収容する収容枠（図示せず）が設けられており、この収容枠に遊技盤１０が着脱可能にセット保持され、常には閉止保持されるガラス扉５を通して遊技盤１０の正面の遊技領域ＰＡを臨ませるようになっている。
【００２０】
前枠２の裏面側には、中央に前後連通する窓口を有して前枠２よりもやや小型の方形枠状に形成された裏セット盤３０が、前枠２の裏面に設けられた複数のレバーＬ，Ｌ…を利用して着脱可能にセット保持される。裏セット盤３０の各部には遊技球を貯留する球貯留タンク３１、タンクレール３２、整列待機通路３３、賞球カセット３４、賞球排出通路３５などの賞球装置が装備されるとともに、裏面各部に電源基板アッセンブリや主基板アッセンブリ５０等の各種制御基板アッセンブリが取り付けられている。
【００２１】
球皿ユニット６に前面側が覆われた前枠２の下部領域には遊技補助盤（図示せず）と称される補助機構部が形成されており、この遊技補助盤の各部に、打球発射装置（図示せず）や、裏セット盤３０側の賞球排出通路３５と繋がり球皿ユニット６の球皿に排出できない遊技球を一時貯留する貯留カセット（図示せず）などが設けられている。
【００２２】
パチンコ機ＰＭは、前枠２、ガラス扉５及び球皿ユニット６がともに閉止され施錠された状態で遊技に供され、球皿ユニット６の球皿に遊技球を貯留させて操作ハンドル８を回動操作することにより遊技が開始される。操作ハンドル８が回動操作されると、球皿ユニット６の球皿に貯留された遊技球が打球発射装置により１球ずつ遊技領域ＰＡに打ち出され、以降パチンコゲームが展開される。
【００２３】
以上のように概要構成されるパチンコ機ＰＭにあって、主基板アッセンブリ５０に本発明に係るケース封印構造が適用されており、以下においては、この主基板アッセンブリ５０について説明する。まず、図３〜図５を追加参照して、主基板アッセンブリ５０の全体構成について説明する。ここで、図３は主基板アッセンブリ５０の閉止状態の斜視図、図４は主基板アッセンブリの開放状態の斜視図、図５は主基板アッセンブリ５０の分解斜視図である。
【００２４】
主基板アッセンブリ５０は、パチンコ機ＰＭの作動を統括的に制御する主制御基板５１と、主制御基板５１を内部に収容する主基板ケース５５とを主体に構成される。さらに、主基板ケース５５は、パチンコ機ＰＭの裏セット盤３０に固定されるケース本体部材６０と、ケース本体部材６０に開閉自在に取り付けられるケース蓋部材７０と、主制御基板５１の裏面側を覆う内部カバー８０とを備え、主制御基板５１及び内部カバー８０がケース蓋部材７０の内面側に取り付けられた状態で、ケース蓋部材７０をケース本体部材６０へ開閉自在に装着されるように構成されている。
【００２５】
主制御基板５１は、図５に示すように、中央部に配設されたＣＰＵ５２や、左側に配設された左側接続コネクタ５３，５３，…、右側に配設された右側接続コネクタ５４，５４，…等の電子部品を有して構成される。主制御基板５１の四隅には、基板取付孔５１ａ，５１ａ，…が形成されている。また、主制御基板５１の縁部近傍三箇所には、ピン孔５１ｂ，５１ｂ，５１ｂが形成されており、内部カバー８０の位置決めピン８１，８１，８１と嵌合するようになっている。
【００２６】
ケース本体部材６０は、前面側に開口を有する矩形箱状の形態をなし、ＡＢＳ樹脂やポリカーボネート（ＰＣ）等の透明な樹脂材料を用いて射出成形等の成形手段により一体的に成形される。ケース本体部材６０の底部には、補強リブ６１が縦横に格子状に形成されており、ケース本体部材６０の強度を向上させるとともに、ケース内部に収容された内部カバー８０が当接して受け止められるようになっている。
【００２７】
ケース本体部材６０の左端部にはヒンジ軸６２，６２が形成されており、ケース蓋部材７０のヒンジアーム７４とそれぞれヒンジ係合するようになっている。ケース本体部材６０の上下側壁外面には、前方に突出する左右の係止アーム６３，６３が形成されており、ケース蓋部材７０の側面に形成された左右の係止突起７５，７５にそれぞれ係止するようになっている。このため、ケース本体部材６０に対してケース蓋部材７０がヒンジ軸６２にヒンジアーム７４をヒンジ係合した状態でヒンジ軸６２を中心として、図３に示す開放した状態と図４に示す閉止した状態とに開閉揺動可能であり、図４に示すように閉止した状態で係止アーム６３が係止突起７５に係止して仮止め保持されるようになっている。
【００２８】
ケース本体部材６０の縁部内側には、内側ガードリブ６４が突出して形成されており、ケース蓋部材７０がケース本体部材６０に装着されるときに、ケース蓋部材７０の外側ガードリブ（図に現れず）の内側に位置するようになっている。ケース本体部材６０の縁部外側には、縁部当接部６５が内側ガードリブ６４に繋がって形成されており、ケース蓋部材７０がケース本体部材６０に装着されるときに、外側ガードリブが縁部当接部６５と当接するようになっている。
【００２９】
ケース蓋部材７０は、ケース本体部材６０の開口を覆う矩形箱状の形態をなし、ＡＢＳ樹脂やポリカーボネート（ＰＣ）等の透明な樹脂材料を用いて射出成形等の成形手段により一体的に成形される。ケース蓋部材７０の裏面側（内面側）の四隅には、ボス形状の基板取付部がネジ孔（いずれも図に現れず）を有して形成されており、主制御基板５１及び内部カバー８０がそれぞれの取付孔５１ａ，８２を介して基板取付ネジ８９によりネジ固定されてケース蓋部材７０の内面側に取り付けられるようになっている。
【００３０】
ケース蓋部材７０の左側には、左コネクタ開口部７２，７２，…が形成されており、図３に示すように、ケース蓋部材７０がケース本体部材６０に装着された状態で、主制御基板５１の左側接続コネクタ５３が左コネクタ開口部７２を介して外部に露出するように構成されている。ケース蓋部材７０の右側には、右コネクタ開口部７３，７３，…が形成されており、ケース蓋部材７０がケース本体部材６０に装着された状態で、主制御基板５１の右側接続コネクタ５４が右コネクタ開口部７３を介して外部に露出するように構成されている。
【００３１】
内部カバー８０は、主制御基板５１の形状に合わせた矩形板状の形態をなし、ＡＢＳ樹脂やポリカーボネート（ＰＣ）等の透明な樹脂材料を用いて一体的に形成される。内部カバー８０の縁部近傍三箇所には、位置決めピン８１，８１，８１が形成されており、主制御基板５１のピン孔５１ｂ，５１ｂ，５１ｂとそれぞれ嵌合して、内部カバー８０が主制御基板５１の裏面側にちょうど重なるようになっている。
【００３２】
内部カバー８０の四隅には取付孔８２，８２，…が形成されており、基板取付ネジ８９によりケース蓋部材７０の内面の基板取付部にネジ固定されるようになっている。そして、主制御基板５１を所定方向に向けた状態で、基板取付部のボス部に主制御基板５１の基板取付孔５１ａを嵌合させ、さらに、内部カバー８０の位置決めピン８１を主制御基板５１のピン孔５１ｂに嵌合させるとともにケース蓋部材７０の蓋側ピン孔（図示せず）に嵌入して、内部カバー８０を主制御基板５１の裏面側に重ねて載置した状態で、基板取付ネジ８９により主制御基板５１及び内部カバー８０がケース蓋部材７０の内面側に取り付けられる。
【００３３】
このようにして、ケース蓋部材７０がケース本体部材６０の開口を覆う閉止状態でケース本体部材６０に装着されているときには、係止アーム６３が係止突起７５に係合しているだけであり、ケース蓋部材７０をケース本体部材６０に対して容易に開放させることができる。そこで、閉止状態で装着されたケース蓋部材７０を開放できなくして不正操作を防止するために、基板アッセンブリ５０には不正開放防止機構９０が設けられている。
【００３４】
この不正開放防止機構９０は従来から知られている構成であり、種々の構成が適用可能であるが、本実施形態では、図３〜図５に示すように、ケース本体部材６０に一体に繋がった本体側係合部９１と、ケース蓋部材７０に連結部９４を介して繋がった蓋側係合部９３と、両係合部９１，９３を結合させるための結合部材９５とから構成される。結合部材９５は、本体側係合部９１の係合凹部９１ａ内に挿入され、側面に形成された係合突起９５ａが係合凹部９１ａ内の係合部と図４に示すように取り外し不能に係合される。この状態でケース蓋部材７０を図３に示すように閉止すると、結合部材９５の上方に突出する部分が蓋側係合部９３の係合凹部９３ａ（図には現れないが、蓋側係合部９３の内面側に形成されている）内に入り込み、側面に形成された係合突起９５ｂが係合凹部９３ａ内の係合部と取り外し不能に係合し、ケース本体部材６０とケース蓋部材７０とが図３に示すように閉止した状態で結合保持される。なお、この状態からケース蓋部材７０を開放するためには、例えばニッパ等の工具を用いて蓋側係合部９３とケース蓋部材７０とを繋ぐ連結部９４を切断して、蓋側係合部９３とケース蓋部材７０とを切り離せばよい。
【００３５】
このように構成される不正開放防止機構９０の隣に位置して、本発明を適用したケース封印部１００が設けられており、この構成について、図６〜図１０を追加参照して以下に詳しく説明する。ここで、図６はケース封印部１００を取り出して示す斜視図、図７は本体側封印部１１０を示す斜視図、図８は蓋側封印部１２０を示す斜視図、図９はＩＣタグ封印シール１３０の正面図、図１０は封印カバー１４０を図６の矢印Ｘ−Ｘに沿って示す断面図、図１１はロック部１６０を示す要部断面図である。
【００３６】
ケース封印部１００は、ケース本体部材６０に一体に繋がって形成された本体側封印部１１０と、ケース蓋部材７０に一体に繋がって形成された蓋側封印部１２０と、両封印部１１０，１２０全体を覆うようにして内部に収容可能な封印カバー１４０とを備える。両封印部１１０，１２０は、ケース本体部材６０にケース蓋部材７０が図３に示すように閉止された状態で互いに当接対向し、それを覆うようにして封印カバー１４０が着脱自在に取り付けられる。上述したように、本体側封印部１１０及び蓋側封印部１２０はそれぞれケース本体部材６０及びケース蓋部材７０に一体に繋がって構成されているが、図６〜図１３においては、本体側封印部１１０及び蓋側封印部１２０を切り離した状態でこれらケース封印部１００のみを取り出して示す。なお、このケース封印部１００が備えられる基板ケースの大きさや形状、取り付け姿勢（前後・上下・左右の各方向）等は、ケース内部に収容される制御基板の形状寸法、基板ケースが取り付けられる遊技機の取り付け位置、制御基板の配設姿勢等に応じて任意に設定可能である。そのため以降においては、説明の便宜上、図６に示す矢印Ｆ，Ｒ，Ｕの向かう方向を、それぞれ前方、右方、上方と称して説明する。
【００３７】
本体側封印部１１０は、矩形ブロック状に形成された本体側ボディ１１１がケース本体部材６０に一体に繋がって構成されており、このボディ１１１には上面側に開口するＬ字状の本体側スリットＳ１が形成されている。この本体側スリットＳ１は、交差部１１２から互いに直交する方向に延出した第１スリット部Ｓ１１及び第２スリット部Ｓ１２からなる。また、本体側ボディ１１１の左右の側面部には、凹状のガイド溝１１３，１１３が直線状に延びて一対形成されている。
【００３８】
蓋側封印部１２０は、本体側ボディ１１１の大きさに合わせて矩形ブロック状に形成された蓋側ボディ１２１が蓋側ケース部材７０に一体に繋がって構成されており、このボディ１２１には表裏貫通（蓋側ボディ１２１の板厚を貫通）するＬ字状の蓋側スリットＳ２が形成されている。この蓋側スリットＳ２は、交差部１２２から互いに直交する方向に延出した第１スリット部Ｓ２１及び第２スリット部Ｓ２２からなる。ケース本体部材６０にケース蓋部材７０が閉止状態で取り付けられ、本体側封印部１１０の表面と蓋側封印部１２０の裏面とが当接対向した状態で、本体側スリットＳ１と蓋側スリットＳ２とがちょうど上下に重なるようになっており、これらスリットＳ１，Ｓ２が合わさることによって、後述する切断部材１５３の移動を許容するための案内通路（通過路）が形成される。これらスリットＳ１，Ｓ２は、各ボディ１１１，１１２の長手方向（左右方向）に延びる第１スリット部Ｓ１１，Ｓ２１が当該ボディの内側で終端し、これに直交して短手方向（前後方向）に延びる第２スリットＳ１２，Ｓ２２が後面側で開放されている。
【００３９】
また、蓋側ボディ１２１の表面側において第１スリット部Ｓ２１の右側方部には、上方に向かって突出する凸状の突起部１２３が形成されている。また、蓋側ボディ１２１の表面側にはＩＣタグ封印シール１３０を貼り付けるための平坦面（図６及び図８において破線で示す領域であり、以下においてこの領域を「貼着部」と称する」）が形成され、この貼着部１２４を左右に分断するようにして第２スリット部Ｓ２２が前後方向に延在している。
【００４０】
ＩＣタグ封印シール１３０は、図９に示すように、矩形シート状のシール部材１３１に、ＩＣタグ１３２及びこれに繋がるアンテナ線１３３が透明な樹脂フィルム１３４によって覆われた状態で貼り付けられて構成されており、紙製のシール部材１３１の表面には識別情報としてのシリアル番号（図示せず）がプリントされている。ＩＣタグ１３２はシール部材１３１の略中央に配置され、アンテナ線１３２はシール部材１３１の一方の対角線に沿って配置されている。このＩＣタグ１３２には、パチンコ機ＰＭに関する情報、制御基板５１の識別情報等、種々の情報を記憶した非常に小さな電子素子であり、これに繋がって設けられたアンテナ線１３３を介してケース５５の外部からこれら情報を読み取り可能となっている。
【００４１】
また、シール部材１３１の外縁にはギザギザ状の切り込み１３１ａが規則的に形成され、このシール部材１３１を剥がすときに切り込み１３１ａの凹部に応力集中が生じて破断され易いようになっている。一方、樹脂フィルム１３４の外周には、直線状の切り込み１３４ａが規則的に形成され、ＩＣタグ封印シール１３０が剥がされたり外力が印加されたときに、この切り込み１３４ａに沿って樹脂フィルム１３４と共にアンテナ線１３２が破断され易く、これにより情報送信が不能になるようにしている。
【００４２】
封印カバー１４０は、後壁１４１Ｂ及びこの後壁１４１Ｂを囲んで前方に延びる前後左右の側壁１４１Ｕ，１４１Ｄ，１４１Ｌ，１４１Ｒを有し、全体として前面開口１４２を持つ矩形箱状に形成されたハウジング１４１をベースとして構成されており、このハウジング１４１の内部に本体側封印部１１０及び蓋側封印部１２０のほぼ全体を収容するための封印空間１４３が形成されている。ハウジング１４１内において左右に対向する側壁１４１Ｌ，１４１Ｒには、本体側封印部１１０のガイド溝１１３に係合するガイドリブ１４４，１４４が直線状に延びて形成されており、このように両者が係合することで、封印カバー１４０に対する両封印部１１０，１２０の位置合わせをより正確に行うことができる。封印カバー１４０に両封印部１１０，１２０が挿入装着された状態で、蓋側封印部１２０に貼着されたＩＣタグ封印シール１３０に直面する上側の側壁１４１Ｕには、このＩＣタグ封印シール１３０を切断するためのカッティング機構１５０が備えられている。
【００４３】
カッティング機構１５０は、ハウジング１４１の上側の側壁１４１Ｕに固設された支持部材１５１と、この支持部材１５１に揺動自在に軸支された切断部材１５３と、切断部材１５３を下方に付勢するトーションバネ１５６と、切断部材１５３を水平姿勢で保持するスライド部材１５７とを備えて構成される。
【００４４】
切断部材１５３は、支持部材１５１に一体に設けられた軸部１５２を中心として上下に揺動自在に軸支されたカッター保持具（カッターホルダ）１５４と、このカッター保持具１５４に保持された金属製のカッター刃１５５とを備え、カッター刃１５５を封印空間１４３の上方において水平姿勢で格納する位置（図１０においてカッター刃１５５を実線で示す位置であり、以下において「格納位置」と称する）と、カッター刃１５５を封印空間１４３内の略中央で上下方向に張り出す位置（図１０においてカッター刃１５５を破線で示す位置であり、以下において「切断位置」と称する）との間で揺動変位自在に構成されている。カッター刃１５５としては公知の刃具類と同様な構造が用いられ、長手方向側縁の切刃部１５５ａ（図１３を参照）をハウジング１４１の後壁１４１Ｂ側に向けた姿勢でカッター保持具１５４に一体的に取り付けられている。
【００４５】
トーションバネ１５６は、バネ線材を円筒状に巻回されてなり、その両端の脚部１５６ａ，１５６ｂが支持部材１５１の軸部廻りに相反する方向（離間する方向）に変位されて荷重を受けるようになっている。このトーションバネ１５６は、その巻回された部分に軸部１５２を挿入させた状態で、一方の脚部１５６ａ（不動端）が支持部材１５１に係止され、他方の脚部１５６ｂ（可動端）がカッター保持具１５４に係止されており、これら両脚部１５６ａ，１５６ｂが離間する方向に変位した状態（両脚部のなす角度が１８０°の状態）で保持されている。そのため、このトーションバネ１５６に生じる付勢力（捻りトルク）を利用して、カッター部材１５３が図１０に示す矢印Ａ方向に付勢される。なお、トーションバネ１５６の自由角度（自由状態で両脚部がなす角度）を９０°に設定することにより、トーションバネ１５６が自由状態にときにカッター刃１５５を鉛直方向に延びる切断位置に変位させることができる。
【００４６】
スライド部材１５７は、ハウジング１４１の上側の側壁１４１Ｕに設けられた左右一対のスライドレール１５８，１５８に嵌合しており、このスライドレール１５８に沿って前後方向に移動自在に構成されている。このスライド部材１５７は、一端にカッター刃１５５の刃先を当接係合させてカッター部材１５３の揺動を規制するための斜面１５７ａを有しており、スライドレール１５８のほぼ前進端に位置した状態でカッター刃１５３を斜面１５７ａで受け止めて、カッター部材１５３を格納位置で保持するようになっている。
【００４７】
ハウジング１４１の上側の側壁１４１Ｕにおいて格納状態のカッター保持具１５４と上下方向に重なる部分には、封印空間１４３側に開口する孔部１５９が形成されており、この孔部１５９に切断位置へ揺動変位したカッター部材１５３をロック保持するためのロック部１６０が設けられている。
【００４８】
ロック部１６０は、孔部１５９の内壁面によって一端が係止されたコイルバネ１６１と、コイルバネ１６１の他端が係止されこのコイルバネ１６１によって下方に常時付勢された規制体１６２とを備えて構成され、切断部材１５３がスライド部材１５７によって格納位置で保持されているときには、コイルバネ１６１は孔部１５９内で圧縮状態であり、規制体１６２はカッター保持具１５３の上面に当接してほぼ孔部１５９内に隠れている。一方、スライド部材１５７を後壁１４１Ｂ側（後方）に移動させてスライド部材１５７とカッター刃１５５とを離間させると、切断部材１５３がトーションバネ１５６の付勢力によって軸部１５２を中心として切断位置まで下方に揺動して、規制体１６２が孔部１５９からカッター保持具１５４の基端部の右脇へ飛び出すことで、カッター保持具１５４が支持部材１５１と規制体１６２との間で挟み込まれる状態となり、これによりカッター部材１５３は揺動が規制されて切断位置でロック保持された状態となる。
【００４９】
次に、このような構成のケース封印部１００において、ケース本体部材６０にケース蓋部材７０を閉止状態で結合して、本体側封印部１１０及び蓋側封印部１２０に封印カバー１４０を装着する方法及び構成について説明する。なお、図１１に封印ケース１４０を本体側封印１１０及び蓋側封印部１２０に取り付けたときのカッター刃１５５の動きを模式的に示している。
【００５０】
まず、主基板ケース５５において、ケース本体部材６０のヒンジ軸６２にケース蓋部材７０のヒンジアーム７４をヒンジ係合して、ケース蓋部材７０をケース本体部材６０の上に重ねて（揺動させて）閉止状態にすると、係止アーム６３が係止突起７５に係止して、ケース蓋部材７０がケース本体部材６０に対して閉止状態のまま装着される。このとき、前述のように、不正開放防止機構９０により本体側係合部９１と蓋側係合部９３とが接続部材９５を介して連結され、ケース本体部材６０とケース蓋部材７０とが閉止状態で結合保持されるのである。
【００５１】
このようにケース本体部材６０にケース蓋部材７０が図３に示すように閉止された状態では、本体側封印部１１０と蓋側封印部１２０とが互いに当接対向して、両者のスリットＳ１，Ｓ２が上下方向に重なり合うようになる。このスリットＳ１，Ｓ２の上方から第２スリット部Ｓ１２，Ｓ２２を隠蔽するように、蓋側封印部１２０表面の貼着部１２４にＩＣタグ封印シール１３０をしっかりと貼り付ける。このとき、ＩＣタグ封印シール１３０のアンテナ線１３３が第２スリット部Ｓ１２，Ｓ２２に架かるようにし、切断部材１５３の通過路中にアンテナ線１３３が横断した状態としておく。
【００５２】
このように上下に重合された両封印部１１０，１２０に封印カバー１４０を装着するために、本体側封印部１１０のガイド溝１１３と封印カバー１４０のガイドリブ１４４とを位置整合させた状態で、ガイド溝１１３にガイドリブ１４４を通過させるようにして、両封印部１１０，１２０を封印カバー１４０の前面開口１４２から内部（封印空間１４３）へ挿入する。この状態では、切断部材１５３は上方の格納位置で保持されているため、両封印部１１０，１２０を封印空間１４３内へスムーズに嵌入するができ、カッター刃１５５がＩＣタグ封印シール１３０に接触するおそれもない。
【００５３】
そして、両封印部１１０，１２０の先端部が封印カバー１４０の後壁１４１Ｂ近傍に達すると、蓋側封印部１２０の突起部１２３がスライド部材１５７に当接してスライド部材１５７を後方へ押し動かしていく。そうすると、カッター刃１５５とスライド部材１５７の斜面１５７ａとの当接が解除され、トーションバネ１５６の付勢力によって切断部材１５３が軸部１５２を中心に円弧を描くようにして下方へ揺動する。このとき、図１２に示すように、各封印部１１０，１２０にはカッター刃１５５の通過路ともなるスリットＳ１，Ｓ２が設けられ、カッター刃１５５の揺動軌跡に対応して第１スリット部Ｓ１１，Ｓ１２が形成されているため、カッター刃１５５はこの第１スリット部Ｓ１１，Ｓ１２を通過しながら格納位置から張出位置へと揺動することができる。このように切断部材１５３の揺動移動のための通過路が第１スリット部Ｓ１１，Ｓ２１として確保されているため、カッター刃１５５が揺動移動中に封印部１１０，１２０に接触して折損するおそれがない。また、切断部材１５３が切断位置へ揺動変位するのに対して、封印空間１４３内において蓋側封印部１２０の表面で露出された状態のＩＣタグ封印シール１３０がカッター刃１５５に接触して切断されるおそれもない。
【００５４】
そして、カッター刃１５５が上下方向に延在する切断位置に達すると、コイルバネ１５６の付勢力によって規制体１６２がハウジング１４１の孔部１５９から封印空間１４３へ飛び出して、カッター保持具１５４を規制体１６２と支持部材１５１とで挟み込んだ状態となり、これにより切断部材１５３は揺動が規制されたロック状態で静止保持される。
【００５５】
以上の説明から分かるように、ケース本体部材６０の上にケース蓋部材７０を図３に示すように閉止させると、不正開放防止機構９０によりケース本体部材６０とケース蓋部材７０とが係合して閉止状態に保持され、これにより当接対向した本体側封印部１１０及び蓋側封印部１２０を封印カバー１４０に挿入装着することで、蓋側封印部１２０に貼着されたＩＣタグ封印シール１３０が封印カバー１４０の内部に保持される。ＩＣタグ封印シール１４０は、上述のようにＩＣタグ１３２及びアンテナ線１３３を有しており、封印カバー１４０の内部に保持された状態のままで、アンテナ線１３３を介して無線によりＩＣタグ１３２に記憶された各種情報（例えば、パチンコ機ＰＭに関する情報、主制御基板５１の識別情報等）を封印カバー１４０を開放することなく、外部から読み取り可能である。
【００５６】
次に、以上のようにケース本体部材６０とケース蓋部材７０とが係合して閉止状態に保持された状態からケース蓋部材７０を開放させる場合について説明する。ケース蓋部材７０を開放させるには、まず、ケース封印部１００において本体側封印部１１０及び蓋側封印部１２０と封印カバー１４０とが連結した状態にあるので、封印カバー１４０を両封印部１１０，１２０から取り外さなければならない。但し、この連結は、両封印部１１０，１２０が封印カバー１４０内に挿入されているだけであり、両封印部１１０，１１０から封印カバー１４０を取り外すには、両封印部１１０，１２０に対して封印カバー１４０を離脱される方向（図６における前後方向）に相対移動させればよい。このように両封印部１１０，１１０から封印カバー１４０を取り外すときの一連の動きに伴って、この封印カバー１４０に一体的に設けられた切断部材１５３によりＩＣタグ封印シール１３０が切断されるようになっており、図１３を追加参照してこれを詳しく説明する。なお、図１３は、封印カバー１４０を取り外すときのカッター刃の動きと、ＩＣタグ封印シール１３０、本体側封印部１１０、及び蓋側封印部１２０との位置関係を示す模式図である。
【００５７】
先ず始めに、封印カバー１４０が両封印部１１０，１２０に装着されている状態において、カッター刃１５５は垂直姿勢でスリットＳ１，Ｓ２の交差部１１２，１２２に遊挿された状態であり、このような状態から封印カバー１４０を両封印部１１０，１２０から離脱させる方向に相対移動させることで、カッター刃１５５も一体的になって当該離脱方向に移動する。このとき、カッター刃１５５の通過路ともなる第２スリット部Ｓ１２，Ｓ２２は封印カバー１４０（カッター刃１５５）の移動方向に対応して同方向に延びており、この第２スリット部Ｓ１２，Ｓ２２の上方を横断するようにしてＩＣタグ封印シール１３−が水平に保持されている。よって、この切断位置においては、封印カバー１４０の離脱方向から見てカッター刃１５５とＩＣタグ封印シール１３０とが交差するように重なった状態となっている（図１２を参照）。そのため、封印カバー１４０を離脱方向に相対移動させると、図１３に示すように、切断部材１５３も共に同方向に相対移動して、カッター刃１５５が第２スリット部Ｓ１２，Ｓ２２を通過しながらＩＣタグ封印シール１３０を離脱方向に沿って切断することになる。このようにＩＣタグ封印シール１３０のシール部材１３１を切断すれば、ＩＣタグ１３２そのものを破壊できなくてもアンテナ線１３３を切断することになるため、ＩＣタグ封印シール１３０を再使用できなくすることができる。
【００５８】
なおこのとき、切断部材１５３はロック部１６０によって切断位置でロック保持されているため、シール部材１３１を切断しているときに切断部材１５３が受ける切断抵抗によって、カッター刃１５５が横振れ等の挙動を起こして適切にシール部材を切断できなくなるおそれがない。
【００５９】
そして、封印カバー１４０を両封印部１１０，１２０に対してそのまま相対移動させれば、カッター刃１５５が第２スリット部Ｓ１２，Ｓ２２を通過しつつＩＣタグ封印シール１３０のシール部材１３１を完全に切断し、最終的にはスリットＳ１，Ｓ２の開放端から封印部１１０，１２０外へ脱出することとなり、封印カバー１４０も本体側封印部１１０及び蓋側封印部１２０から適切に取り外される。
【００６０】
封印カバー１４０を取り外した後は、不正開放防止機構９０におけるケース蓋部材７０と蓋側係合部９３とを繋ぐ連結部９４をニッパ等の工具を用いて切断する。これにより、不正開放防止機構９０によるケース本体部材６０とケース蓋部材７０との連結が断たれ、ケース蓋部材７０を開放することができる。
【００６１】
以上、このように構成されるケース封印部１００によれば、封印カバー１４０内に両封印部１１０，１２０を挿入装着したときには、これに連動して切断部材１５３が封印カバー１４０の挿脱方向から見てＩＣタグ封印シール１３０と交差するように重なる切断位置に揺動変位し、封印カバー１４０を両封印部１１０，１２０から取り外すときに、この封印カバー１４０と一体的に離脱方向へ相対移動する切断部材１５３によりＩＣタグ封印シール１３０が当該離脱方向に沿って切断されるように構成されるため、ＩＣタグ封印シール１３０を切断しなければ主基板ケース５５を開放することができないケース封印構造となり、ＩＣタグ封印シール１３０が不正に再使用されることを防止できる。
【００６２】
これまで本発明の好ましい実施形態について説明してきたが、本発明の範囲はこれに限定されるものではない。例えば、上述の実施形態において、単一の切断部材１５３によりＩＣタグ封印シール１３０を切断する構成を例示して説明したが、これに限定されるものではなく、複数の切断部材によりＩＣタグ封印シールを切断する構成としてもよい。これによれば、ＩＣタグ封印シール１３０をより確実に切断することが可能になる。特に、図１４に示すように、封印カバー２４０内に（切断位置において）一列に並ぶ３つ以上の切断部材２５３，２５３，…を各々独立して揺動変位自在に設けて、互いに隣接する切断部材２５３の格納位置と切断位置との間での揺動方向を逆方向とし、その揺動方向が互い違いとなるように構成することが好ましい。すなわち、互いに隣接する切断部材２５３，２５３において、一方の切断部材２５３の格納位置への揺動方向（図１４において矢印Ｂで示す格納方向）が、他方の切断部材２５３の反格納方向になるようにする。このように構成することで、例えば、封印カバー２４０の内部に、切断部材２５３の列方向片側もしくは両側（左右方向）から不正部材２９９をそれぞれ侵入させて、切断位置に揺動変位された切断部材２５３をＩＣタグ封印シールから離間する方向（すなわち格納方向）へ揺動させてＩＣタグ封印シールを切断することなく封印カバー２３０を取り外そうとしても、複数の切断部材２３０の揺動方向が互い違いに逆方向に設定されているため、全ての切断部材２５３を各々の格納位置側へ同時に退避させることはできない。従って、このようなケース封印部に対する不正アクセスを効果的に防止して、ＩＣタグ封印シールが不正に剥がされて再使用されるのをより確実に防止することが可能になる。
【００６３】
また、上述の実施形態において、各封印部１１０，１２０にカッター刃１５５の通過路としてスリットＳ１，Ｓ２を設けた構成を例示して説明したが、これに限定されるものではなく、スリットはカッター刃の全長や揺動半径などに応じて適宜設けて構成すればよい。例えば、カッター刃が短い場合には、蓋側封印部にみにスリットを設けるものでもよい。さらに、カッター刃をスリットの底壁に当接させながら移動させるものでもよい。
【００６４】
また、上述の実施形態において、ＩＣタグ封印シール１３０を蓋側封印部１２０の表面に貼着しているが、切断部材１５３によってＩＣタグ封印シール１３０が切断されているときに、その切断抵抗によってＩＣタグ封印シール１３０が蓋側封印部１２０から剥がされるのを防止するために、切断部材１５３による切断部分（スリットＳ１，Ｓ２を隠蔽する部分）を除く領域を上方から覆うように載置されるガイド部材を設けてもよい。これにより、ＩＣタグ封印シール１３０は、蓋側封印部１２０とガイド部材との間で挟み込まれた状態となり、切断部材１５３による切断の際に、その切断抵抗によってＩＣタグ封印シール１３０が剥がされるのを防止することができるとともに、ＩＣタグ封印シール１３０がよりしっかりと保持された状態となり切断部材１５３を用いてよりスムーズに切断することが可能になる。
【００６５】
また、上述の実施形態において、ＩＣタグ封印シール１３０を蓋側封印部１２０に貼着した場合を例示して説明したが、これに限定されるものではなく、本体側封印部１２０に貼着したり、本体側封印部１１０及び蓋側封印部１２０に巻き付けて取り付けても同様な効果が得られる。
【００６６】
さらに、本発明に係るケース封印構造においては、パチンコ機用のＩＣタグ封印シール（例えば、上述した実施形態の封印シール１３０）の他にも、種々の形態の封印シールを適用することが可能である。例えば、図１５に示すスロットマシン用のＩＣタグ封印シール２３０を適用することもできる。このＩＣタグ封印シール２３０は、矩形シート状のシール部材２３１に、ＩＣタグ２３２及びこれに繋がるアンテナ線２３３が透明な樹脂フィルム２３４によって覆われた状態で貼り付けられて構成される。ＩＣタグ２３２はシール部材２３１の略中央に配置され、アンテナ線２３３はＩＣタグ２３２の周囲で多重渦巻き状に配置されている。シール部材２３１及び樹脂フィルム２３４の外周には直線状の切り込み２３１ａ，２３４ａが規則的に形成されている。特に、このＩＣタグ封印シール２３０では、アンテナ線２３３自体が何重にもループ状に巻回されて切断及び破断に対する耐力が高く構成されているため、上記例示したような金属製の刃具（カッター刃１５５）により封印シールを切断するケース封印構造が好適に適用され、従来構成の封印構造に比してより確実にアンテナ線２３３を破損して情報送信を不能にするとともに、不正アクセスの痕跡を残存させることができるという効果を奏することができる。なお、ＩＣタグ封印シールに代えて、ＩＣタグ及びアンテナ線を備えないシート状の封印シールを用いてもよい。
【００６７】
また、以上においては、ケース本体部材６０に対してケース蓋部材７０がヒンジ係合されて揺動開閉される構成の主基板ケース５５にケース封印部１００（ケース封印構造）を適用した場合を例示したが、これに限定されるものではない。例えば、ケース本体部材にケース蓋部材を接合させた状態でスライド移動させて両者を閉止状態で係合保持する構成のものに本発明に係るケース封印構造を適用してもよい。
【００６８】
また、以上においては、本発明のケース封印構造をパチンコ機の主基板ケースに適用した例を説明したが、これに限定されるものではなく、画像基板アッセンブリに構成される基板ケースや、電源基板アッセンブリに構成される基板ケースに適用してもよく、更には、パチンコ機以外の遊技機、例えばスロットマシンの制御基板ケースや、その他の種々のケースにも適用することができる。
【符号の説明】
【００６９】
ＰＭ  パチンコ機
５０  主基板アッセンブリ
５１  主基板
５５  主基板ケース（ケース）
６０  ケース本体部材
７０  ケース蓋部材
９０  不正開放防止機構
１００  ケース封印部
１１０  本体側封印部
１２０  蓋側封印部（一方の封印部）
１３０  ＩＣタグ封印シール（封印シール）
１３１  シール部材
１３２  ＩＣタグ
１３３  アンテナ線
１４０  封印カバー
１４２  前面開口（開口）
１４３  封印空間
１５０  カッティング機構
１５２  軸部
１５３  切断部材
１６０  ロック部（ロック手段）
２３０  ＩＣタグ封印シール(変形例)
２４０  封印カバー（変形例）
２５３  切断部材（変形例）
【図１】
2012019843.tif 000003
【図２】
2012019843.tif 000004
【図３】
2012019843.tif 000005
【図４】
2012019843.tif 000006
【図５】
2012019843.tif 000007
【図６】
2012019843.tif 000008
【図７】
2012019843.tif 000009
【図８】
2012019843.tif 000010
【図９】
2012019843.tif 000011
【図１０】
2012019843.tif 000012
【図１１】
2012019843.tif 000013
【図１２】
2012019843.tif 000014
【図１３】
2012019843.tif 000015
【図１４】
2012019843.tif 000016
【図１５】
2012019843.tif 000017